(57)【要約】【課題】  座部の後部両側に立設した背凭れ支持杆の間に背凭れ板を取付けた構造の椅子において、取付けのためのネジを隠蔽するとともに、部品点数を少なくしてコスト低減化を図ることが可能な椅子の背凭れ装置を提供する。【解決手段】  背凭れ板１２は、合成樹脂製のアウターシェル１５の前側に、前面にクッション部１６を設けたインナーシェル１７を嵌合して一体化したものであり、アウターシェルの左右側部に下向き開放の筒状部１８を一体形成し、筒状部を背凭れ支持杆１１の上端部に外嵌するとともに、筒状部の内側から貫通させて背凭れ支持杆にネジ止めし、アウターシェルにインナーシェルを嵌合してネジ１９を隠蔽した。【選択図】        図３
2010279501.tif 000002
【特許請求の範囲】
【請求項１】
座部の後部両側に立設した背凭れ支持杆の間に背凭れ板を取付けた構造の椅子において、前記背凭れ板は、合成樹脂製のアウターシェルの前側に、前面にクッション部を設けたインナーシェルを嵌合して一体化したものであり、前記アウターシェルの左右側部に下向き開放の筒状部を一体形成し、該筒状部を前記背凭れ支持杆の上端部に外嵌するとともに、該筒状部の内側から貫通させて背凭れ支持杆にネジ止めし、該アウターシェルにインナーシェルを嵌合してネジを隠蔽したことを特徴とする椅子の背凭れ装置。
【請求項２】
前記アウターシェルは、前記筒状部の内側であって後部寄り位置に、後方へ湾曲した背板部が一体成形され、該背板部より前方の筒状部の内側面が開放されており、該筒状部の内側面に内部に連通する通孔を形成するとともに、該通孔に対応する前記背凭れ支持杆の内面側に下穴を形成し、前記通孔から挿入したネジを前記下穴に螺合してなる請求項１記載の椅子の背凭れ装置。
【請求項３】
前記背凭れ支持杆は金属パイプで上端を切断して形成し、前記アウターシェルの筒状部は上端が閉鎖され内部奥部に前記背凭れ支持杆の上端を当止するリブが形成されている請求項１又は２記載の椅子の背凭れ装置。
【請求項４】
前記アウターシェルの筒状部の内側に形成した凹部に嵌合する凸部を前記インナーシェルの背面両側部に突設してなる請求項１〜３何れかに記載の椅子の背凭れ装置。
【発明の詳細な説明】
【技術分野】
【０００１】
本発明は、椅子の背凭れ装置に係わり、更に詳しくは背凭れ支持杆に背凭れ板を取付ける構造に関するものである。
【背景技術】
【０００２】
従来から、座部の後部両側に立ち上がった２本の背凭れ支持杆に、背凭れ板を取付けた構造の椅子は各種提供されている。パイプ等のフレームで構成されたスタッキング椅子では、後部両側に立ち上がった両背凭れ支持杆の上端が連続している構造が一般的であり、その場合には背凭れ板を背凭れ支持杆の前側に配置して後部からネジ止めしている。また、背凭れ支持杆の上端が切断された構造のスタッキング椅子では、背凭れ板の両側に下方へ開放した筒部を形成し、該筒部を背凭れ支持杆の上端に外嵌し、同様に後部からネジ止めしている。その場合に、背凭れ板の背面にネジ止め用の凹部が形成され、ネジ止め後は凹部をカバーで覆うようにしている。
【０００３】
また、特許文献１には、座部の左右後部の外側に立設した左右の金属製背凭れ支持杆に、合成樹脂製の背凭れ板の左右側部に一体形成した下向き開放の筒状部を嵌合して取付けた背凭れ部を備え、前記背凭れ板の背面側で前記筒状部の上端部に対応する位置に、該筒状部の装着孔に連通する開口を形成し、該開口にカバーを係合するとともに、該カバーを前記背凭れ支持杆の先端部にネジ止めした構造の椅子が記載されている。
【０００４】
また、回転椅子においては、座部の後部両側に立設した背凭れ支持杆の間に、背凭れ板を配置し、該背凭れ支持杆の外側から背凭れ板にネジを螺合して取付けるとともに、該背凭れ支持杆の上端部をカバーで覆ってネジを隠蔽する構造が一般的である。しかし、背凭れ支持杆の上端部にカバーを装着する構造は、部品点数が多くなりコスト高となるばかりでなく、背凭れ支持杆とカバーとが意匠的に連続せず、外観性を損なうことにもなっていた。
【０００５】
尚、背凭れ板の構造として、アウターシェルの前側に、前面にクッション部を設けたインナーシェルを嵌合して一体化したものは周知である。
【先行技術文献】
【特許文献】
【０００６】
【特許文献１】特開２００８−０７９９１８号公報
【発明の概要】
【発明が解決しようとする課題】
【０００７】
そこで、本発明が前述の状況に鑑み、解決しようとするところは、座部の後部両側に立設した背凭れ支持杆の間に背凭れ板を取付けた構造の椅子において、取付けのためのネジを隠蔽するとともに、部品点数を少なくしてコスト低減化を図ることが可能な椅子の背凭れ装置を提供する点にある。
【課題を解決するための手段】
【０００８】
本発明は、前述の課題解決のために、座部の後部両側に立設した背凭れ支持杆の間に背凭れ板を取付けた構造の椅子において、前記背凭れ板は、合成樹脂製のアウターシェルの前側に、前面にクッション部を設けたインナーシェルを嵌合して一体化したものであり、前記アウターシェルの左右側部に下向き開放の筒状部を一体形成し、該筒状部を前記背凭れ支持杆の上端部に外嵌するとともに、該筒状部の内側から貫通させて背凭れ支持杆にネジ止めし、該アウターシェルにインナーシェルを嵌合してネジを隠蔽したことを特徴とする椅子の背凭れ装置を構成した（請求項１）。
【０００９】
ここで、前記アウターシェルは、前記筒状部の内側であって後部寄り位置に、後方へ湾曲した背板部が一体成形され、該背板部より前方の筒状部の内側面が開放されており、該筒状部の内側面に内部に連通する通孔を形成するとともに、該通孔に対応する前記背凭れ支持杆の内面側に下穴を形成し、前記通孔から挿入したネジを前記下穴に螺合してなることが好ましい（請求項２）。
【００１０】
また、前記背凭れ支持杆は金属パイプで上端を切断して形成し、前記アウターシェルの筒状部は上端が閉鎖され内部奥部に前記背凭れ支持杆の上端を当止するリブが形成されていることも好ましい（請求項３）。
【００１１】
更に、前記アウターシェルの筒状部の内側に形成した凹部に嵌合する凸部を前記インナーシェルの背面両側部に突設してなることがより好ましい（請求項４）。
【発明の効果】
【００１２】
以上にしてなる請求項１に係る発明の椅子の背凭れ装置は、座部の後部両側に立設した背凭れ支持杆の間に背凭れ板を取付けた構造の椅子において、前記背凭れ板は、合成樹脂製のアウターシェルの前側に、前面にクッション部を設けたインナーシェルを嵌合して一体化したものであり、前記アウターシェルの左右側部に下向き開放の筒状部を一体形成し、該筒状部を前記背凭れ支持杆の上端部に外嵌するとともに、該筒状部の内側から貫通させて背凭れ支持杆にネジ止めし、該アウターシェルにインナーシェルを嵌合してネジを隠蔽したので、背凭れ支持杆の上端部を覆うカバーが不要になり、部品点数を少なくすることができ、またアウターシェルの筒状部の内側から貫通させて背凭れ支持杆にネジ止めするので、取付強度は従来と同様であり、ネジ止め後にアウターシェルの前側に、前面にクッション部を設けたインナーシェルを嵌合するだけでネジを隠蔽することができるのである。
【００１３】
請求項２によれば、前記アウターシェルは、前記筒状部の内側であって後部寄り位置に、後方へ湾曲した背板部が一体成形され、該背板部より前方の筒状部の内側面が開放されており、該筒状部の内側面に内部に連通する通孔を形成するとともに、該通孔に対応する前記背凭れ支持杆の内面側に下穴を形成し、前記通孔から挿入したネジを前記下穴に螺合してなるので、筒状部に形成した通孔の内側は開放されているので、ドライバーによるネジ止め作業が容易である。
【００１４】
請求項３によれば、前記背凭れ支持杆は金属パイプで上端を切断して形成し、前記アウターシェルの筒状部は上端が閉鎖され内部奥部に前記背凭れ支持杆の上端を当止するリブが形成されているので、背凭れ支持杆の上端を前記アウターシェルの筒状部に嵌挿し、内部奥部のリブに当止することにより、正確に位置決めすることができ、またガタつきを防止することができ、前記筒状部の通孔と背凭れ支持杆の下穴の位置を合わせることも容易である。
【００１５】
請求項４によれば、前記アウターシェルの筒状部の内側に形成した凹部に嵌合する凸部を前記インナーシェルの背面両側部に突設してなるので、アウターシェルの前側にインナーシェルを嵌合した際に、凹部と凸部とが嵌合するので、左右のずれが無くなり、また筒状部と背凭れ支持杆の連結に用いたネジを凸部で確実に隠蔽することができ、また凸部がネジの頭部に接近若しくは当接して位置するので、ネジの緩みも防止できるのである。
【図面の簡単な説明】
【００１６】
【図１】本発明に係る回転椅子の斜視図である。
【図２】同じく回転椅子の分解斜視図である。
【図３】背凭れ板の組立途中の状態の分解横断平面図である。
【図４】背凭れ支持杆に背凭れ板を取付けた状態の部分縦断側面図である。
【図５】支持体と移動体の関係を示す分解斜視図である。
【図６】座部の支持体の斜視図である。
【図７】移動体の分解斜視図である。
【図８】移動体を支持体に取付けた状態の部分縦断面図である。
【図９】同じく移動体を支持体に取付けた状態を一部破断して示した部分斜視図である。
【発明を実施するための形態】
【００１７】
次に、添付図面に示した実施形態に基づき、本発明を更に詳細に説明する。図１及び図２は本発明に係る回転椅子を示し、図３及び図５は本発明の背凭れ装置を示し、図中符号１は脚部、２は座部、３は背凭れ部、４は足載せ台をそれぞれ示している。
【００１８】
本発明に係る回転椅子は、脚部１に座部２を回転可能に支持するとともに、前記座部２に対して背凭れ部３を前後及び高さ調節可能に支持した構造である。
【００１９】
具体的には、前記脚部１は、放射状に延びた５本の支脚５，…の中心部に円柱状の脚柱６を立設し、該脚柱６に伸縮自在なガスシリンダー７の内蔵した構造である。前記座部２は、金属製の支持体８の上部に座板９を取付けた構造であり、該支持体８を前記脚部１のガスシリンダー７の上端に連結している。更に、前記ガスシリンダー７は、前記脚柱６に対して回転規制具１０で回転可能状態と回転不能状態がとれるようになっている。また、前記背凭れ部３は、座部２の後部両側に立起した背凭れ支持杆１１，１１の上端部に、背凭れ板１２を取付けた構造である。
【００２０】
ここで、前記両背凭れ支持杆１１，１１は、１本の金属パイプを正面視略Ｕ字形に曲げ加工して形成し、両背凭れ支持杆１１，１１の下部を連結する連結杆１３を、前記座部２の支持体８に傾斜スライド機構１４を介して取付けている。
【００２１】
前記背凭れ板１２は、図３及び図４に示すように、合成樹脂製のアウターシェル１５の前側に、前面にクッション部１６を設けた合成樹脂製のインナーシェル１７を嵌合して一体化したものであり、前記アウターシェル１５の左右側部に下向き開放の筒状部１８，１８を一体形成し、該筒状部１８，１８を前記背凭れ支持杆１１，１１の上端部に外嵌するとともに、該筒状部１８，１８の内側から貫通させて背凭れ支持杆１１，１１にネジ止めし、該アウターシェル１５にインナーシェル１７を嵌合してネジ１９を隠蔽している。
【００２２】
更に詳しくは、前記アウターシェル１５は、前記筒状部１８，１８の内側であって後部寄り位置に、後方へ湾曲した背板部２０が一体成形され、該背板部２０より前方の筒状部１８の内側面２１が開放されており、該筒状部１８の内側面２１に内部に連通する通孔２２を形成するとともに、該通孔２２に対応する前記背凭れ支持杆１１の内面側に下穴２３を形成し、前記通孔２２から挿入したネジ１９を前記下穴２３に螺合している。
【００２３】
また、前記背凭れ支持杆１１は、金属パイプで上端を切断して形成し、前記アウターシェル１５の筒状部１８は上端が閉鎖され内部奥部に前記背凭れ支持杆１１の上端２４を当止するリブ２５が十文字状に形成されている。更に、前記アウターシェル１５の筒状部１８の内側に形成した凹部２６に嵌合する凸部２７を前記インナーシェル１７の背面両側部に突設している。前記アウターシェル１５の背板部２０の前面で、周囲寄り位置に複数の嵌合脚２８，…を突設し、一方、前記インナーシェル１７の背面で前記嵌合脚２８，…に対応する位置に嵌合部２９，…を形成している。
【００２４】
そして、前記アウターシェル１５の両側の筒状部１８，１８を、両背凭れ支持杆１１，１１の上端部に外嵌し、前記背板部２０より前方で、内側から前記通孔２２にネジ１９を通し、前記背凭れ支持杆１１の下穴２３に螺合した後、前記アウターシェル１５の前側にインナーシェル１７を接合して、前記嵌合脚２８，…に嵌合部２９，…を無理嵌めして一体化するのである。このとき、前記インナーシェル１７の両側の凸部２７，２７は、前記アウターシェル１５の両側の凹部２６，２６に嵌合するので、左右のずれを確実に防止するとともに、前記凸部２７がネジ１９の頭部に接近又は接触しているので、該ネジ１９の緩み止めもなされるのである。
【００２５】
次に、前記背凭れ板１２の奥行方向位置と高さを調節するための傾斜スライド機構１４を、図２、図５〜図９に基づいて説明する。前記支持体８は、板厚の厚い金属板を深絞りプレス加工した上方開放した略箱形のものであり、上端両側に前記座板９を載置して固定するフランジ部３０，３０形成するとともに、前部から後端にかけた下面に前下がり傾斜面３１を形成し、下面前部に前記ガスシリンダー７の上端部を嵌合して連結する支持筒３２を形成している。前記傾斜面３１の中央部に沿って断面略コ字形の膨出部３３を形成し、該膨出部３３の両側面３４，３４は平行であり、該膨出部３３の側面３４と傾斜面３１の下面との間には比較的角ばった、即ち曲率半径が小さなコーナー部３５が形成されている。
【００２６】
そして、前記支持体８の膨出部３３に沿った両側の傾斜面３１にスリット溝３６，３６を形成するとともに、前記膨出部３３の中央に沿って長孔３７を形成している。一方、前記支持体８の傾斜面３１と膨出部３３には、それに沿ってスライド移動する移動体３８が前記スリット溝３６，３６と長孔３７を利用して取付けられている。即ち、前記移動体３８は、前記支持体８の内部側に位置する移動部材３９と、主に前記支持体８の下面側に位置する二つのガイド部材４０，４０とからなる。前記移動部材３９は、中央部に下方へ突出した断面コ字形の本体部３９Ａの両側前後の上端部に側方へ拡開した二対の取付片４２，…を設け、更に両側において前後中間部に下向きの保持片４３，４３を形成し、該保持片４３，４３にそれぞれ下方からスライダー４４，４４を嵌着し、該スライダー４４，４４を前記支持体８の傾斜面４１の上面に摺接するようにしている。また、前記ガイド部材４０は、下部に断面略コ字形の受部４５を有し、該受部４５の内側に立ち上がった保持片４６にスライダー４７を上方から嵌着し、該スライダー４７を前記支持体８の下面側のコーナー部３５に位置させ、前記傾斜面４１の下面と膨出部３３の側面３４に摺接するようにし、更に前記受部４５の外側から立ち上がった支持板４８を、前記スリット溝３６を通して支持体８の内部に導入し、該支持板４８の上端に内向きに直角に折曲した固定板４９を前記移動部材３９の取付片４２，４２の下面に重ね、両者をネジ５０，５０で連結する。ここで、前記スリット溝３６には、前記ガイド部材４０の固定板４９が通過するだけの幅の広い挿入部５１を一部に形成している。
【００２７】
更に、前記移動部材３９の本体部３９Ａの底面中央部には螺孔５２を設けている。この螺孔５２は、ナットを本体部３９Ａの内面に固着し、該本体部３９Ａにナットの螺孔に連通する通孔を形成して設けた。そして、前記移動体３８のガイド部材４０，４０の下面に、前記背凭れ支持杆１１，１１の連結杆１３に固定した取付金具５３，５３を取付けて固定し、更に前記連結杆１３の中央部の貫通孔５４を下方から貫通した調節ハンドル５５の螺軸５６を、前記支持体８の長孔３７を通して前記移動部材３９の本体部３９Ａの螺孔５２に螺合し、該調節ハンドル５５を回して前記移動体３８を所定位置で固定するのである。
【符号の説明】
【００２８】
１  脚部、              ２  座部、
３  背凭れ部、          ４  足載せ台、
５  支脚、              ６  脚柱、
７  ガスシリンダー、    ８  支持体、
９  座板、              １０  回転規制具、
１１  背凭れ支持杆、    １２  背凭れ板、
１３  連結杆、          １４  傾斜スライド機構、
１５  アウターシェル、  １６  クッション部、
１７  インナーシェル、  １８  筒状部、
１９  ネジ、            ２０  背板部、
２１  内側面、          ２２  通孔、
２３  下穴、            ２４  上端、
２５  リブ、            ２６  凹部、
２７  凸部、            ２８  嵌合脚、
２９  嵌合部、          ３０  フランジ部、
３１  傾斜面、          ３２  支持筒、
３３  膨出部、          ３４  側面、
３５  コーナー部、      ３６  スリット溝、
３７  長孔、            ３８  移動体、
３９  移動部材、        ３９Ａ  本体部、
４０  ガイド部材、      ４１  傾斜面、
４２  取付片、          ４３  保持片、
４４  スライダー、      ４５  受部、
４６  保持片、          ４７  スライダー、
４８  支持板、          ４９  固定板、
５０  ネジ、            ５１  挿入部、
５２  螺孔、            ５３  取付金具、
５４  貫通孔、          ５５  調節ハンドル、
５６  螺軸。
【図１】
2010279501.tif 000003
【図２】
2010279501.tif 000004
【図３】
2010279501.tif 000005
【図４】
2010279501.tif 000006
【図５】
2010279501.tif 000007
【図６】
2010279501.tif 000008
【図７】
2010279501.tif 000009
【図８】
2010279501.tif 000010
【図９】
2010279501.tif 000011